(57)【要約】      （修正有）【課題】収納室の限られた容積に効率よく通信機器を収納する。【解決手段】通信機器１は、通信用部品Ａが収納された筐体２を有し、この筐体２の第１、第２面２ａ、２ｂに、収納室の被装着レールに着脱自在に装着可能な装着部４を設けたので、縦横のうちのいずれかを任意の向きで通信機器１を被装着レールに装着することが可能となり、これにより収納室の限られた容積に効率よく通信機器１を収納することが可能となる。また装着部４を二つとするだけなので、部品点数の増加も最小限となる。【選択図】図１
2014017430.tif 000002
【特許請求の範囲】
【請求項１】
通信用部品が収納された筐体と、
収納室に設けられた被装着レールに着脱自在に装着可能な装着部と、
を有し、
前記筐体は、互いに端部が接し合う第１、第２面を有し、
前記装着部は、前記筐体の前記第１面と前記第２面とにそれぞれ設けられている、
ことを特徴とする通信機器。
【請求項２】
Ｌ型金具をさらに有し、
前記Ｌ型金具は、当該Ｌ型金具の屈曲角部の内側を前記第１、第２面の接合角部に向い合わせた状態で前記筐体に取り付けられており、
前記装着部は、前記筐体に取り付けられた前記Ｌ型金具の一端側屈曲外側面と他端側屈曲外側面とにそれぞれ設けられている、
ことを特徴とする請求項１に記載の通信機器。
【請求項３】
前記装着部は、前記第１、第２面の接合角部の角部長手方向一端にそれぞれ設けられている、
ことを特徴とする請求項１または２に記載の通信機器。
【発明の詳細な説明】
【技術分野】
【０００１】
本発明は、大きさが限られた収納室に複数収納される通信機器に関する。
【背景技術】
【０００２】
光通信に用いられる光成端箱といった通信機器は、大きさが限られた収納室に複数収納されることが多い。収納室には、その壁面等にＤＩＮレールといった被装着レールが設けられており、通信機器には、被装着レールに着脱自在に装着できる装着部が備えられている。通信機器は、装着部を被装着レールに装着させて収納室に収納されている。
【先行技術文献】
【特許文献】
【０００３】
【特許文献１】特開２００３−２９８２５１
【特許文献２】実公平７−３５４２６
【発明の概要】
【発明が解決しようとする課題】
【０００４】
この種の通信機器は初期設置されたのちに通信需要が増大すると、増大した需要に応じて増設される。増設は、増設する通信機器を新たに用意したうえで、用意した通信機器を被装着レールの空きスペースに装着することで行われる。ここで、増設数が多くなるもしくは度重なる増設が実施されて収納室の空きが少なくなってくると、少ない空き空間を有効に利用して通信機器の増設を行う必要が出てくる。しかしながら、従来の通信機器の装着構造では、収納室の限られた容積に効率よく通信機器を収納することができなかった。
【０００５】
したがって本発明は、収納室の限られた容積に効率よく収納可能な通信機器の提供を主たる目的としている。
【課題を解決するための手段】
【０００６】
上記課題を解決するために、本発明の通信機器は、通信用部品が収納された筐体と、収納室に設けられた被装着レールに着脱自在に装着可能な装着部とを有している。前記筐体は、互いに端部が接し合う第１、第２面を有している。前記装着部は、前記筐体の前記第１面と前記第２面とにそれぞれ設けられている。
【０００７】
以上の構成を有する本発明は、第１面と第２面とにそれぞれ設けた装着部を介して、被装着レールに装着されるので、縦横のうちのいずれかの任意の向きで通信機器を被装着レールに装着することが可能になり、これにより収納室の限られた容積に効率よく通信機器を収納することが可能になる。しかも、従来では一つであった装着部を二つとするだけでよいので、部品点数の増加も最小限となる。
【０００８】
さらには、被装着レールとは異なるもう一つの被装着レールを用意すれば、次のような通信機器の収納形態を実現することができる。以下、本発明の請求項で言及している被装着レールを第１の被装着レールと称し、第１の被装着レールとは別に用意するもう一つの被装着レールを第２の被装着レールと称する。まず、第１の被装着レールに一方の装着部を装着することで通信機器を収納室に収納固定する。この状態で、通信機器の他方の装着部に第２の被装着レールの一端を装着することで、第２の被装着レールの他端を収納室の内側に突出させた状態で第２の被装着レールを通信機器に装着する。この状態で、第２の被装着レールの他端側に、一つもしくは複数のもう一つの通信機器の装着部を装着することで、第２の被装着レールにもう一つの通信機器を装着固定する。本発明は、第２の被装着レールを用いたこのような収納形態を実現することで、容積が限られた収納室にさらに効率よく通信機器を収納することが可能となる。
【０００９】
なお、本発明は、Ｌ型金具をさらに有し、前記Ｌ型金具は、前記Ｌ型金具の屈曲角部の内側を前記第１、第２面の接合角部に向い合わせた状態で前記筐体に取り付けられており、前記装着部は、前記筐体に取り付けられた前記Ｌ型金具の一端側屈曲外側面と他端側屈曲外側面とにそれぞれ設けられているのが好ましい。そうすれば、通信機器収納作業者は、Ｌ型金具に設けた装着部を介して通信機器を被装着レールに取り付けることが可能となり、その分、通信機器を被装着レールに取り付ける作業が容易になる。
【００１０】
また、前記装着部は、前記第１、第２面の接合角部の角部長手方向一端にそれぞれ設けられているのが好ましい。そうすれば、通信機器収納作業者は、接合角部の角部長手方向一端の外側から装着部を操作することが可能となり、狭くなって操作スペースを十分に確保できなくなった収納室であっても、容易に通信機器を被装着レールに装着することが可能となる。
【発明の効果】
【００１１】
本発明によれば、収納室の限られた容積に効率よく通信機器を収納することが可能となる。
【図面の簡単な説明】
【００１２】
【図１】本発明の一実施形態の通信機器の構成を示す全体斜視図。
【図２】実施の形態の通信機器の平面図。
【図３】実施の形態の通信機器の側面図。
【図４】実施の形態の通信機器の取付形態の第１の例を示す平面図。
【図５】実施の形態の通信機器の取付形態の第２の例を示す平面図。
【図６】実施の形態の通信機器の取付形態の第３の例を示す平面図。
【発明を実施するための形態】
【００１３】
次に、本発明の実施の形態を図を参照して順に詳説する。図１〜図３に示すように、本発明の一実施形態の通信機器１は、筐体２と、Ｌ型金具３と、装着部４とを備えている。筐体２は、平行断面が長方形となった縦長の立方体形状を有しており、内部には通信部品Ａが収納されている。筐体２は、互いに端部が直交して接し合う第１面２ａと第２面２ｂとを有している。図において第１面２ａと第２面２ｂとは、筐体２の側面に設定されている。平行断面が長方形である筐体２においては、第１面２ａが第２面２ｂより長くなっている。なお、第１、第２面２ａ、２ｂを、筐体２の上面もしくは下面と側面とに設定してもよいのはいうまでもない。
【００１４】
Ｌ型金具３は、金属平板の中途部をその厚み方向に直角に折り曲げることで形成されている。Ｌ型金具３の折り曲げ部位は、金属平板の長手方向中央部ではなく一方の端部側に扁位した位置にある。そのため、Ｌ型金具３は長辺側端部３ａと短辺側端部３ｂとを有する。Ｌ型金具３は、長辺側端部３ａの屈曲内側面を筐体２の第１面２ａに添わせ、短辺側端部３ｂの屈曲内側面を筐体２の第２面２ｂに添わせた状態で筐体２の表面にネジ止め固定されている。
【００１５】
装着部４は、Ｌ型金具３の長辺側端部３ａの屈曲外側面と、短辺側端部３ｂの屈曲外側面とにそれぞれ設けられている。装着部４は、装着凹部４ａを有している。装着凹部４ａは、汎用のＤＩＮレール等の被装着レールＢの断面形状と同等の凹部形状を有している。装着凹部４ａの幅方向両端には、被装着レールＢに係合する固定連結爪４ｂと可動連結爪４ｃとが設けられている。固定連結爪４ｂと可動連結爪４ｃは対向配置されており、互いに他方の爪側に向かって突出している。固定連結爪４ｂは装着凹部４ａの下端に固定配置されている。可動連結爪４ｃは、固定連結爪４ｂに向かって進退自在に装着凹部４ａの上端に取り付けられている。可動連結爪４ｃは、図示しないバネ等の付勢手段によって固定連結爪４ｂに向かって弾性付勢されている。なお、Ｌ型金具３を省略して、装着凹部４を筐体２の第１、第２面２ａ、２ｂに直接取り付けてもよい。
【００１６】
以上の構成を備えた装着部４は次のようにして被装着レールＢに装着される。すなわち、付勢手段に抗して可動連結爪４ｃを装着凹部４ａから退出させ被装着レールＢの端部に固定連結爪４ｂを係合させた状態で装着凹部４ａを被装着レールＢに嵌め合わせ、この状態でさらに可動連結爪４ｃを付勢手段によって装着凹部４ａに向かって進出させて被装着レールＢの端部に可動連結爪４ｂを係合させる。これにより、装着部４は被装着レールＢに装着される。
【００１７】
装着部４は装着凹部４ａの凹部長手方向（図３の左右方向）を水平方向にしかつ可動連結爪４ｃを上側にした状態でＬ型金具３の上端に取り付けられている。これにより、装着部４は、第１面２ａと第２面２ｂとが接合している筐体２の接合角部２ｃの角部長手方向（図１の上下方向）の一端に設けられている。可動連結爪４ｃが装着凹部４ａの上端に設けられた本実施の形態の通信機器１では、装着部４を筐体２の接合角部２ｃの角部長手方向の一端に設けることで、通信機器１の装着時において、開放状態となった筐体２の上方から可動連結爪４ｃを容易に操作することができて、作業性が向上する。
【００１８】
次に、上記構成を備えた通信機器１を収納室Ｃに収納する構成について、図４〜図６を参照して説明する。以下の収納形態を必要とする通信機器１は、例えば、光通信の分岐アダプタ（以下、光成端箱という）が想定される。この種の通信機器１では、通信先が増加する際には、ベースとなる光ファイバから光ファイバが分岐されて新しい通信先に引き込まれる。その際、光ファイバは通信機器１（光成端箱）で分岐される。一つの通信機器１で分岐可能な光ファイバの数には限りがあるので、分岐光ファイバが所定数増加する毎に、通信機器１が新たに追加される。
【００１９】
以下の収納構成では、収納室Ｃの壁面Ｃａに被装着レールＢを水平方向に沿って装着した状態における通信機器１の収納構成を説明する。なお、被装着レールＢを垂直方向等の他の方向に沿って収納室Ｃに設けても同様に本発明を実施できるのはいうまでもない。
【００２０】
また、以下の説明では、各収納手順毎に、収納室Ｃに複数の通信機器１を一度に収納しているように記載しているが、これは収納手順の一例であって、単一の通信機器１毎に増設を行ってもよく、その場合の増設構成や手順も、以下の説明と基本的には同様である。また、以下の説明では、収納室Ｃの一平面に複数の通信機器１を単層で収納する構成について説明するが、この収納構成を上下に積層配置することで、複層の通信機器１を収納室Ｃに収納することができるのもいうまでもなく、そうすれば、さらに収納効率が向上する。
【００２１】
（第１の収納構成）
第１の収納構成では、図４に示すように、複数の通信機器１それぞれが、短寸側の第２面２ｂに設けられた装着部４を介して被装着レールＢに装着される。これにより、各通信機器１は、短辺である第２面２ｂが壁面Ｃａに沿い長辺である第１面２ａが壁面Ｃａから突出する向きに並列した状態で収納室Ｃに収納される。
【００２２】
（第２の収納構成）
第２の収納構成では、図５に示すように、複数の通信機器１それぞれが、長寸側の第１面２ａに設けられた装着部４を介して被装着レールＢに装着されている。これにより、各通信機器１は、長辺である第１面２ａが壁面Ｃａに沿い短辺である第２面２ｂが壁面Ｃａから突出する向きに並列した状態で収納室Ｃに収納される。
【００２３】
（第３の収納構成）
第３の収納構成では、図６に示すように、収納室Ｃに別の収納物Ｄ、Ｅが配置されており、そのために、通信機器１の収納スペースが限られており、しかも、収納物Ｄ、Ｅのために通信機器１の収納スペースの形状が単純な方形形状ではなく複数の方形が連結した複雑な形状である場合を想定している。
【００２４】
このような複雑な形状を有する収納スペースでは、収納室Ｃの壁面Ｃａに被装着レールＢを取り付けたうえで、さらに追加の被装着レールＢを用いて前述した第１、第２の収納構成を組み合わせることで、効率のよい収納を実現している。以下、壁面Ｃａに取り付けた被装着レールＢを、第１の被装着レールＢ１といい、追加の被装着レールＢを第２〜第４の被装着レールＢ２〜Ｂ４という。
【００２５】
収納室Ｃでは、対向する壁面Ｃａ、Ｃｂに沿って収納物Ｄ、Ｅが載置されている。そのため収納室Ｃには、通信機器１を収納可能な収納スペースとして第１、第２の収納スペースＣｐ、Ｃｑが確保されている。第１の収納スペースＣｐと第２の収納スペースＣｑとは互いに連通しており、連通した第１、第２の収納スペースＣｐ、Ｃｑは全体として、二つの方形形状が連結した複雑な形状となっている。このような形状を有する収納室Ｃにおいて通信機器１の増設が行われる毎に、まず、収納手順１に沿って機器増設が実施され、さらに収納手順１による増設が完了すると、収納手順２、３に移行して増設が継続され、さらには移行収納手順４による増設が完了するまで増設が行われる。以下、収納手順１〜４を順を追って説明する。
【００２６】
（収納手順１）
まず、第１の収納スペースＣｐに露出している壁面Ｃａに第１の被装着レールＢ１を水平に取り付ける。第１の被装着レールＢ１の長さは、第１の収納スペースＣｐの幅ｗ１（壁面Ｃａの隅部から収納物Ｄまでの距離）と同等に設定される。次に取り付けた第１の被装着レールＢ１に複数の通信機器１（図では３つ）を装着する。以下、第１の被装着レールＢ１に装着する通信機器を第１の通信機器１1という。ここで複数の第１の通信機器１1は、その筐体２の第１面２ａにある装着部４を介して第１の被装着レールＢ１に装着されることで、壁面Ｃａ（第１の被装着レールＢ１）に対して横向きに並列配置される。
【００２７】
（収納手順２）
次に壁面Ｃａに装着された第１の通信機器１1の第２面２ｂにある装着部４それぞれに、第２の被装着レールＢ２の一端を連結し、第２の被装着レールＢ２の他端を第１の収納スペースＣｐの内方に向けて突出させる。ここで、第２の被装着レールＢ２が第１の収納スペースＣｐに取り付け可能となるように、第２の被装着レールＢ２それぞれの長さは、第１の収納スペースＣｐの奥行きｄ１（壁面Ｃａから収納物Ｅまでの距離）より若干短い長さに設定される。
【００２８】
次に第１の収納スペースＣｐの内部に突出させた第２の被装着レールＢ２それぞれに複数の通信機器１（図では３つ）を装着する。以下、第２の被装着レールＢ２に装着する通信機器を第２の通信機器１2という。ここで複数の第２の通信機器１2は、その筐体２の第２面２ｂにある装着部４を介して第２の被装着レールＢ２に装着されることで、第２の被装着レールＢ２に対して縦向きに並列配置される。さらに、第２の通信機器１2それぞれは、第２の被装着レールＢ２を共有する第１の通信機器１1に対して並列に配置される。これにより、第１の収納スペースＣｐを隈無く収納空間として利用して通信機器１を収納することができる。
【００２９】
（収納手順３）
次に、複数配置された第２の被装着レールＢ２のうちで、第１の収納スペースＣｐにおける第２の収納スペース側端部に位置する第２の被装着レールＢ２に着目する。以下、この位置の第２の被装着レールを第２の被装着レールＢ２’という。この第２の被装着レールＢ２’に装着された複数の第２の通信機器１2のうちで、レール他端側に位置するいくつかの第２の通信機器１2（図では２つ）は、第２の収納スペースＣｑに対向して第２の収納スペースＣｑに露出している。以下、この位置の第２の通信機器を第２の通信機器１2’という。これらの第２の通信機器１2’の第１面２ａにある装着部４それぞれに、第３の被装着レールＢ３、Ｂ３の一端を連結し、第３の被装着レールＢ３、Ｂ３の他端を第２の収納スペースＣｑの内方に向けて突出させる。これにより第３の被装着レールＢ３、Ｂ３は、収納物Ｄの近傍で収納物Ｄの側面に沿って配置される。ここで、第３の被装着レールＢ３が第２の収納スペースＣｑに取り付け可能となるように、第３の被装着レールＢ３それぞれの長さは、第２の収納スペースＣｑの幅ｗ２（壁面Ｃａの隅部から収納物Ｅまでの図中左右方向の距離）に通信機器１の幅を加算した長さより若干短い長さに設定される。
【００３０】
次に第２の収納スペースＣｑの内部に突出させた第３の被装着レールＢ３、Ｂ３それぞれに複数の通信機器１（図では２つ）を装着する。以下、第３の被装着レールＢ３に装着する通信機器を第３の通信機器１3という。ここで第３の通信機器１3は、その筐体２の第１面２ａにある装着部４を介して第３の被装着レールＢ３に装着されることで、第３の被装着レールＢ３に対して横向きに並列される。
【００３１】
（収納手順４）
次に、複数配置された第３の被装着レールＢ３のうちで、第２の収納スペースＣｑの未収納スペース側に位置する第３の被装着レールＢ３に着目する。以下、この位置にある第３の被装着レールを第３の被装着レールＢ３’という。第３の被装着レールＢ３’に装着された複数の第３の通信機器１3のうちで、レール他端側に位置するいくつかの第３の通信機器１3（図では２つ）は、第２の収納スペースＣｑに対向して第２の収納スペースＣｑに露出している。以下、この位置の第３の通信機器を第３の通信機器１3’という。そこで、この第３の通信機器１3’の第２面２ｂにある装着部４それぞれに、第４の被装着レールＢ４、Ｂ４の一端を連結し、第４の被装着レールＢ４、Ｂ４の他端を第２の収納スペースＣｑの内方に向けて突出させる。ここで、第４の被装着レールＢ４が第２の収納スペースＣｑに取り付け可能となるように、第４の被装着レールＢ４それぞれの長さは、第２の収納スペースＣｑにおける奥行きｄ２（第３の被装着レールＢ３’から壁面Ｃｂまでの距離）より若干短い長さに設定される。
【００３２】
次に第２の収納スペースＣｑの内部に突出させた第４の被装着レールＢ４それぞれに複数の通信機器１（図では２つ）を装着する。以下、第４の被装着レールＢ４に装着する通信機器を第４の通信機器１4という。ここで、第４の通信機器１4は、その筐体２の第２面２ｂにある装着部４を介して第４の被装着レールＢ４に装着されることで、第４の被装着レールＢ４に対して縦向きに並列される。これにより、第２の収納スペースＣｑを隈無く収納空間として利用して通信機器１を収納することができる。
【００３３】
以上の収納手順１〜４を経ることで、複雑な形状となった収納室Ｃであっても、通信機器１を同じ方向に沿って整列配置した状態で効率よく収納することができる。
【符号の説明】
【００３４】
１  通信機器
１1  第１の通信機器
１2  第２の通信機器
１2’  第２の通信機器
１3  第３の通信機器
１3’  第３の通信機器
１4  第４の通信機器
１4’  第４の通信機器
２  筐体
２ａ  第１面
２ｂ  第２面
２ｃ  接合角部
３  Ｌ型金具
３ａ  長辺側端部
３ｂ  短辺側端部
４  装着部
４ａ  装着凹部
４ｂ  固定連結爪
４ｃ  可動連結爪
Ａ  通信部品
Ｂ  被装着レール
Ｂ１  第１の被装着レール
Ｂ２  第２の被装着レール
Ｂ２’  第２の被装着レール
Ｂ３  第３の被装着レール
Ｂ３’  第３の被装着レール
Ｂ４  第４の被装着レール
Ｃ  収納室
Ｃａ、Ｃｂ  壁面
Ｃｐ  第１の収納スペース
Ｃｑ  第２の収納スペース
Ｄ、Ｅ  収納物
ｗ１  第１の収納スペースＣｐの幅
ｗ２  第２の収納スペースＣｑの幅
ｄ１  第１の収納スペースＣｐの奥行き
ｄ２  第２の収納スペースＣｑの奥行き
【図１】
2014017430.tif 000003
【図２】
2014017430.tif 000004
【図３】
2014017430.tif 000005
【図４】
2014017430.tif 000006
【図５】
2014017430.tif 000007
【図６】
2014017430.tif 000008